(57)【要約】      （修正有）【課題】ボタン操作により、所定の情報を確実かつ容易に設定でき、操作性を改善するとともに、防御能力の強化と保安を確保する一方、歯車機構を廃し、構成の簡潔化と小形軽量化を図ったボタン錠を提供する。【解決手段】軸方向に変位し所定の情報を設定または入力可能な操作ボタン１４を有し、操作ボタン１４による前記情報の設定または入力に応じて回動かつ軸方向へ変位可能な記憶ボタン１９を有する。記憶ボタン１９に連係して係合かつ回動可能に配置され、かつ情報の設定または入力時に施解錠作動を制御可能にした係止溝３９を有する第１のロック制御手段３６を有し、係止溝３９に係脱可能に配置され、かつドアの操作ハンドル６０の変位に連係させた第２のロック制御手段４３とを備えたボタン錠である。【選択図】    図４
2006029019.tif 000002
【特許請求の範囲】
【請求項１】
軸方向に変位し所定の情報を設定または入力可能な操作ボタンと、該操作ボタンによる前記情報の設定または入力に応じて回動かつ軸方向へ変位可能な記憶ボタンと、該記憶ボタンに連係して係合かつ回動可能に配置され、かつ前記情報の設定または入力時に施解錠作動を制御可能にした係止溝を有する第１のロック制御手段と、前記係止溝に係脱可能に配置され、かつドアの操作ハンドルの変位に連係させた第２のロック制御手段とを備えたボタン錠において、前記操作ボタンと記憶ボタンと第１のロック制御手段とを同軸方向へ移動可能に配置するとともに、前記記憶ボタンの内面に前記第１のロック制御手段と係脱可能な複数の係合溝を形成し、前記第１のロック制御手段と係合溝との係合を介して、前記設定または入力情報を保持可能にしたことを特徴とするボタン錠。
【請求項２】
前記記憶ボタンと第１のロック制御手段とを係脱可能に同軸方向に配置した請求項１記載のボタン錠。
【請求項３】
前記操作ボタンと記憶ボタンに操作ピンを挿入可能な操作孔を形成した請求項１記載のボタン錠。
【請求項４】
前記操作ピンの軸方向変位を介して、前記記憶ボタンと第１のロック制御手段とを係脱可能にした請求項２記載のボタン錠。
【請求項５】
前記操作ピンの一端部に操作具を設けた請求項２または請求項４記載のボタン錠。
【請求項６】
前記操作具を操作ボタンの端面に係合可能にした請求項２記載のボタン錠。
【請求項７】
前記操作ピンの長さを、操作ボタンを押し込み、かつ記憶ボタンと第１のロック制御手段とを切り離し可能な長さに形成した請求項３または請求項４記載のボタン錠。
【請求項８】
前記操作具の幅を隣接する操作ボタンに係合不可能に形成した請求項６記載のボタン錠
【請求項９】
前記操作具を操作ボタンに係合し、かつ操作ピンを前記操作孔に挿入して、前記記憶ボタンに所定の情報を設定可能にした請求項６または請求項７記載のボタン錠。
【請求項１０】
前記操作具を操作ボタンに係合し、かつ操作ピンを前記操作孔に挿入して、記憶ボタンと第１のロック制御手段とを切り離し、前記記憶ボタンを独自に回動可能にして、記憶ボタンに所定の情報を設定可能にした請求項６または請求項７記載のボタン錠。
【請求項１１】
前記記憶ボタンと第１のロック制御手段とを切り離して、前記記憶ボタンを所定の情報相当分回動し、該記憶ボタンに所定の情報を設定可能にした請求項１０記載のボタン錠。
【請求項１２】
前記記憶ボタンに所定の情報を設定後、前記第１のロック制御手段を前記情報設定前の回動角度状態で係合可能にした請求項１０記載のボタン錠。
【請求項１３】
前記第１のロック制御手段に対し、前記所定の情報設定分、位相進み状態で前記記憶ボタンに情報を設定可能にした請求項１２記載のボタン錠。
【請求項１４】
前記記憶ボタンに所定の情報を設定後、前記操作ボタンを適宜押圧操作し、前記記憶ボタンと第１のロック制御手段とを同期回動可能にした請求項１２記載のボタン錠。
【請求項１５】
前記記憶ボタンに所定の情報を設定後、前記記憶ボタンと第１のロック制御手段とを同期回動して、第１および第２のロック制御手段を係合可能に配置し、前記第２のロック制御手段の作動を拘束可能にした請求項１２記載のボタン錠。
【発明の詳細な説明】
【技術分野】
【０００１】
本発明は、例えば引き戸鎌錠に好適で、ボタン操作によって真正な使用者に引き戸の開閉を許容するとともに、操作具によってボタン操作し、所定の情報を確実かつ容易に設定でき、操作性を改善するとともに、防御能力の強化と保安を確保する一方、歯車機構を廃し構成の簡潔化と小形軽量化を図り、引き戸ないし錠前の体裁を改善し、これを安価に製作できるようにしたボタン錠に関する。
【背景技術】
【０００２】
近時、住宅や会社、店舗、病院等のドア錠として、鍵の使用を不要にしたキ−レスタイプの錠前が普及してきている。
前記キ−レスタイプの錠前には、機構的な錠前であるメカロック錠や電気的な錠前である電気若しくは電子錠とがあり、このうちメカロック錠は機械的強度が大きく、電気配線や電源確保の必要がなく、停電や誤作動等のトラブルがない等の利点があり、このメカロック錠について出願人は種々提案している。
【０００３】
例えば、従来のメカロック錠は複数の操作ボタンを備え、各操作ボタンに応する記憶情報を、カム若しくはリンクまたは歯車列に連係して記憶させ、各操作ボタンの記憶情報を操作ボタンの個数分組み合わせて、操作ボタンの個数分の桁数からなる暗証番号を設定または入力し、その解錠時に暗証番号に対応する所定の操作ボタンを操作することで、解錠可能にしている（例えば、特許文献１参照）。
【０００４】
しかし、この従来のメカロック錠は、操作ボタンに単一の暗証情報しか入力できないため、暗証情報の入力量に限界があり、防御性能を高める場合は多数の操作ボタンを要して、構成が複雑かつ大形重量化し、設置スペ−スの確保が難しい上に、ドアの体裁が悪くなる等の問題があった。
【０００５】
このような問題を解決するものとして、操作ボタンに対する情報量を増加し、膨大な設定情報とその広範な選択を得られ、防御能力の向上と構成の簡潔化並びに小形軽量化を図れ、これを安価に製作できるとともに、情報の設定または入力並びに変更操作を正確かつ安全に、しかも容易かつ合理的に行なえるとともに、設定または入力した情報の解読若しくは察知を不可能にして、第三者による悪戯や改竄を防止し得るようにしたボタン錠を出願人は開発し、これを既に提案している（例えば、特許文献２参照）。
【０００６】
しかし、この従来のメカロック錠は、操作ボタンに連係するボタンギヤと、該ボタンギヤに噛合可能なタ−ミナルギヤと、該タ−ミナルギヤに噛合可能なリセットギヤとを、ケ−ス内部に幅方向に配置しているため、ケ−スが幅広になり、また部品点数が増大して錠前が大形重量化し構成が複雑化して、高価になる等の問題があった。
また、前記タ−ミナルギヤと同軸上のケ−ス位置に、操作具を差し込み可能な操作孔を形成し、暗証番号の設定または入力時および施解錠時に、前記操作孔に操作具を挿入して、タ−ミナルギヤと隣接するボタンギヤとリセットギヤとの噛合を一時的に解除し、この状況の下で暗証番号に応じて操作ボタンを所要回数押圧する操作を要するため、前記操作性が悪い等の問題があった。
【０００７】
【特許文献１】特公昭６２−５４９５１号公報
【特許文献２】特開２００４−８４４６０号公報
【発明の開示】
【発明が解決しようとする課題】
【０００８】
本発明はこのような問題を解決し、例えば引き戸鎌錠に好適で、ボタン操作によって真正な使用者に引き戸の開閉を許容するとともに、操作具によってボタン操作し、所定の情報を確実かつ容易に設定でき、操作性を改善するとともに、防御能力の強化と保安を確保する一方、歯車機構を廃し構成の簡潔化と小形軽量化を図り、引き戸ないし錠前の体裁を改善し、これを安価に製作できるようにしたボタン錠を提供することを目的とする。
【課題を解決するための手段】
【０００９】
請求項１の発明は、軸方向に変位し所定の情報を設定または入力可能な操作ボタンと、該操作ボタンによる前記情報の設定または入力に応じて回動かつ軸方向へ変位可能な記憶ボタンと、該記憶ボタンに連係して係合かつ回動可能に配置され、かつ前記情報の設定または入力時に施解錠作動を制御可能にした係止溝を有する第１のロック制御手段と、前記係止溝に係脱可能に配置され、かつドアの操作ハンドルの変位に連係させた第２のロック制御手段とを備えたボタン錠において、前記操作ボタンと記憶ボタンと第１のロック制御手段とを同軸方向へ移動可能に配置するとともに、前記記憶ボタンの内面に前記第１のロック制御手段と係脱可能な複数の係合溝を形成し、前記第１のロック制御手段と係合溝との係合を介して、前記設定または入力情報を保持可能にし、従来の歯車機構を廃し部品点数を低減して、構成の簡潔化と小形軽量化を図るとともに、歯車機構の代わりに第１のロック制御手段を係合溝に係合させることによって、簡単な構成で記憶ボタンに対する情報の設定や入力情報を保持可能にしている。
【００１０】
請求項２の発明は、前記記憶ボタンと第１のロック制御手段とを係脱可能に同軸方向に配置し、歯車機構の代わりに簡単な構成で記憶ボタンに対する情報の設定や入力情報の保持機構を実現可能にしている。
請求項３の発明は、前記操作ボタンと記憶ボタンに操作ピンを挿入可能な操作孔を形成し、前記操作孔を操作ボタンの側方に配置する従来のものに比べて、錠前の幅狭化と小形軽量化を図れるとともに、錠前の体裁を改善するようにしている。
請求項４の発明は、前記操作ピンの軸方向変位を介して、前記記憶ボタンと第１のロック制御手段とを係脱可能にし、記憶ボタンに対する情報の設定や情報入力を簡便に行なえるようにしている。
請求項５の発明は、前記操作ピンの一端部に操作具を設け、操作ピンによる操作を容易に行なえるようにしている。
【００１１】
請求項６の発明は、前記操作具を操作ボタンの端面に係合可能にし、操作ボタンの押圧操作を容易に行なえるとともに、手指による操作ボタンの押圧操作による指紋や手油の付着を防止し、設定または入力情報の察知を防止し得るようにしている。
請求項７の発明は、前記操作ピンの長さを、操作ボタンを押し込み、かつ記憶ボタンと第１のロック制御手段とを切り離し可能な長さに形成し、簡単な構成によって操作ボタンの押圧操作と、記憶ボタンと第１のロック制御手段との切り離しとを容易に行なえるようにしている。
請求項８の発明は、前記操作具の幅を隣接する操作ボタンに係合不可能に形成し、隣接する操作ボタンとの接触を回避し、操作ボタンの押圧操作を円滑かつ容易に行なえるようにしている。
【００１２】
請求項９の発明は、前記操作具を操作ボタンに係合し、かつ操作ピンを前記操作孔に挿入して、前記記憶ボタンに所定の情報を設定可能にし、操作具とこれと一体的な操作ピンを同時使用して、記憶ボタンに所定の情報を確実かつ容易に設定し得るようにしている。
請求項１０の発明は、前記操作具を操作ボタンに係合し、かつ操作ピンを前記操作孔に挿入して、記憶ボタンと第１のロック制御手段とを切り離し、前記記憶ボタンを独自に回動可能にして、操作ボタンに所定の情報を設定可能にし、記憶ボタンに対し位相進み状態での情報設定を実現可能にしている。
請求項１１の発明は、前記記憶ボタンと第１のロック制御手段とを切り離して、前記記憶ボタンを所定の情報相当分回動し、該記憶ボタンに所定の情報を設定可能にし、記憶ボタンに所定の情報を正確に設定し得るようにしている。
【００１３】
請求項１２の発明は、前記記憶ボタンに所定の情報を設定後、前記第１のロック制御手段を前記情報設定前の回動角度状態で係合可能にし、記憶ボタンに対する情報を第１のロック制御手段に対し、確実に位相進み状態で設定し得るようにしている。
請求項１３の発明は、前記第１のロック制御手段に対し、前記所定の情報設定分、位相進み状態で前記記憶ボタンに情報を設定可能にし、前記情報設定後、第２のロック制御手段による第１のロック制御手段の回動を拘束し、確実な施錠状態を得られるようにしている。
【００１４】
請求項１４の発明は、前記記憶ボタンに所定の情報を設定後、前記操作ボタンを適宜押圧操作し、前記記憶ボタンと第１のロック制御手段とを同期回動可能にし、前記情報設定後に記憶ボタンに偽装情報を設定可能にし、設定情報の察知を防止して、防御能力を高めるようにしている。
請求項１５の発明は、前記記憶ボタンに所定の情報を設定後、前記記憶ボタンと第１のロック制御手段とを同期回動して、第１および第２のロック制御手段を係合可能に配置し、前記第２のロック制御手段の作動を拘束可能にし、施錠状態の確実性を得られるようにしている。
【発明の効果】
【００１５】
請求項１の発明は、操作ボタンと記憶ボタンと第１のロック制御手段とを同軸方向へ移動可能に配置するとともに、前記記憶ボタンの内面に前記第１のロック制御手段と係脱可能な複数の係合溝を形成し、前記第１のロック制御手段と係合溝との係合を介して、前記設定または入力情報を保持可能にしたから、従来の歯車機構を廃し部品点数を低減して、構成の簡潔化と小形軽量化を図るとともに、歯車機構の代わりに第１のロック制御手段を係合溝に係合させることによって、簡単な構成で記憶ボタンに対する情報の設定や入力情報を保持することができる。
【００１６】
請求項２の発明は、前記記憶ボタンと第１のロック制御手段とを係脱可能に同軸方向に配置したから、歯車機構の代わりに簡単な構成で記憶ボタンに対する情報の設定や入力情報の保持機構を実現することができる。
請求項３の発明は、前記操作ボタンと記憶ボタンに操作ピンを挿入可能な操作孔を形成したから、前記操作孔を操作ボタンの側方に配置する従来のものに比べて、錠前の幅狭化と小形軽量化を図れ、また錠前の体裁を改善することができる。
請求項４の発明は、前記操作ピンの軸方向変位を介して、前記記憶ボタンと第１のロック制御手段とを係脱可能にしたから、記憶ボタンに対する情報の設定や情報入力を簡便に行なうことができる。
【００１７】
請求項５の発明は、前記操作ピンの一端部に操作具を設けたから、操作ピンによる操作を容易に行なうことができる。
請求項６の発明は、前記操作具を操作ボタンの端面に係合可能にしたから、操作ボタンの押圧操作を容易に行なえるとともに、手指による操作ボタンの押圧操作による指紋や手油の付着を防止し、設定または入力情報の察知を防止し得る効果がある。
【００１８】
請求項７の発明は、前記操作ピンの長さを、操作ボタンを押し込み、かつ記憶ボタンと第１のロック制御手段とを切り離し可能な長さに形成したから、簡単な構成によって操作ボタンの押圧操作と、記憶ボタンと第１のロック制御手段との切り離しとを容易に行なうことができる。
請求項８の発明は、前記操作具の幅を隣接する操作ボタンに係合不可能に形成したから、隣接する操作ボタンとの接触を回避し、操作ボタンの押圧操作を円滑かつ容易に行なうことができる。
請求項９の発明は、前記操作具を操作ボタンに係合し、かつ操作ピンを前記操作孔に挿入したから、前記記憶ボタンに所定の情報を設定可能にし、操作具とこれと一体的な操作ピンを同時使用して、記憶ボタンに所定の情報を確実かつ容易に設定することができる。
請求項１０の発明は、前記操作具を操作ボタンに係合し、かつ操作ピンを前記操作孔に挿入し、記憶ボタンと第１のロック制御手段とを切り離し、前記記憶ボタンを独自に回動可能にし、操作ボタンに所定の情報を設定可能にしたから、記憶ボタンに対し位相進み状態での情報設定を実現することができる。
【００１９】
請求項１１の発明は、前記記憶ボタンと第１のロック制御手段とを切り離して、前記記憶ボタンを所定の情報相当分回動し、該記憶ボタンに所定の情報を設定可能にしたから、記憶ボタンに所定の情報を正確に設定することができる。
請求項１２の発明は、前記記憶ボタンに所定の情報を設定後、前記第１のロック制御手段を前記情報設定前の回動角度状態で係合可能にしたから、記憶ボタンに対する情報を第１のロック制御手段に対し、位相進み状態で確実に設定することができる。
請求項１３の発明は、前記第１のロック制御手段に対し、前記所定の情報設定分、位相進み状態で前記記憶ボタンに情報を設定可能にし、前記情報設定後、第２のロック制御手段による第１のロック制御手段の回動を拘束したから、確実な施錠状態を得ることができる。
【００２０】
請求項１４の発明は、前記記憶ボタンに所定の情報を設定後、前記操作ボタンを適宜押圧操作し、前記記憶ボタンと第１のロック制御手段とを同期回動可能にしたから、前記情報設定後に記憶ボタンに偽装情報を設定可能にし、設定情報の察知を防止して、防御能力を高めることができる。
請求項１５の発明は、前記記憶ボタンに所定の情報を設定後、前記記憶ボタンと第１のロック制御手段とを同期回動して、第１および第２のロック制御手段を係合可能に配置したから、前記第２のロック制御手段の作動を拘束し、施錠状態の確実性を得られる効果がある。
【発明を実施するための最良の形態】
【００２１】
以下、本発明を引き戸鎌錠に適用した図示の実施形態について説明すると、図１乃至図２０において１は引き戸を構成するインナ−ドアで、嵌め殺し型のアウタ−ドア（図示略）の内側に引き違い移動可能に配置され、その縦框２の中高位置に、引き戸鎌錠３が取り付けられている。
前記引き戸鎌錠３の下部に鎌４が出没可能に取り付けられ、該鎌４が縦框２と当接可能な戸当り枠５のトロ受け６の開口縁部６ａに、係脱可能に取り付けられている。
【００２２】
前記引き戸鎌錠３は略細長柱状に形成され、その外殻を形成する錠ケ−ス７と、該ケ−ス７の開口部を閉塞する錠カバ−８とを備え、これらは共に亜鉛合金ダイカストによって所定形状に成形されていて、錠ケ−ス７の開口部に錠カバ−８を嵌合し、その外側からビス９を錠ケ−ス７のネジ孔１０にねじ込んで取り付けている。
前記錠ケ−ス７は上半部に前方に突出する張出部７ａを備え、該張出部７ａの中央に複数、実施形態では二つのボタン挿通孔１１が上下に離間して形成され、前記挿通孔１１の開口部に短管状のガイドリング１２が圧入若しくは一体成形されている。
【００２３】
前記ガイドリング１２は内面に複数、実施形態では８個のガイドリブ１３が軸方向に突設され、該ガイドリブ１３に操作ボタン１４を構成するボタンケ−ス１５が摺動自在に係合している。
すなわち、前記ボタンケ−ス１５は、合成樹脂によって有底の略中空筒体に成形され、その上端面に操作孔１６が形成され、後述する操作具の操作ピンを挿入可能にしている。
【００２４】
前記ボタンケ−ス１５の下端部周面に複数、実施形態では８個の掛止片１７が突設され、それらの間に前記ガイドリブ１３を係合可能に設けて、ボタンケ−ス１５の上下動を誘導可能にしており、また前記掛止片１７の上端部を、ボタン挿通孔１１の内側開口縁部に係合可能に配置して、その抜け止めを可能にしている。
前記ボタンケ−ス１５の下端面に複数、実施形態では８個の鋸歯状のドグ１８が突設され、該ドグ１８に記憶ボタン１９のドグ２０を係脱可能に噛合している。
【００２５】
前記記憶ボタン１９は、亜鉛合金ダイカストによって略軸筒状に成形され、その上半部は円筒状に成形されていて、該円筒状の軸筒部２１を前記ボタンケ−ス１５内に挿入可能にしている。
前記軸筒部２１の中央に、上方に増径するテ−パ状の操作孔である貫通孔２２が形成され、その小径部が前記操作孔１６と同径に形成されている。
【００２６】
前記ドグ２０の外周部に複数、実施形態では４個のテ−パ状のカム２３が等角度位置に形成され、そのカム面を前記ガイドリブ１３の端部と係合可能に配置され、その係合時に記憶ボタン１９を１方向へ１ピッチ分、つまりガイドリブ１３，１３の間隔に相当する４５°、間欠的に回動可能にしている。
【００２７】
前記記憶ボタン１９の下半部は略四角柱状に形成され、その角軸筒部２４は前記ドグ２０を形成したフランジ部の外径よりも小径に形成され、その内部に前記貫通孔２２に連通する略星形断面の凹孔２５が形成されている。
前記凹孔２５の内面に略山形断面の係合溝２６が複数、実施形態では８個形成され、前記角軸筒部２４の端部がバネ受２７の角穴２８に摺動可能に係合している。
【００２８】
前記バネ受２７は合成樹脂によって略皿状に形成され、その底部外面は図１８および図１９のように緩やかな円錐面に形成され、後述の仕切板に対する着座の安定性とセンタリングおよび回動の円滑化を促すようにしており、その中央に前記角穴２８が形成されている。
【００２９】
前記バネ受２７と記憶ボタン１９の前記フランジ部との間に、円錐コイルバネ等のバネ２９が介挿され、該バネ２９の弾性を介して記憶ボタン１９と、該ギヤ１９のドグ２０と係合するボタンケ−ス１５とを上方へ付勢し、常時はボタンケ−ス１５の操作側端面を錠ケ−ス７の表面から突出させている。
図中、３０はバネ受２７の環状壁２７ａに形成した矩形の凹溝で、該凹溝３０に暗証基準表示部である表示板３１、実施形態では所定色の蓄光性夜光テ−プを接着している。
【００３０】
前記仕切板３２は亜鉛合金ダイカストによって肉厚の矩形板状に成形され、該仕切板３２が錠ケ−ス７内の矩形の凹所３３に嵌合して収容されている。前記凹所３３はバネ受２７，２７を収容する凹所底部３４に隣接し、該段部３４に前記ボタン挿通孔１１が連通している。
前記仕切板３２に、前記ボタン挿通孔１１に連通する二つの段付孔３５が形成され、該孔３５に第１のロック制御手段であるロックカム３６が回動可能に収容されている。
前記ロックカム３６は亜鉛合金ダイカストによって略円板状に形成され、その一端に略菱形断面の角軸３７が突設され、その両側の係合縁部３７ａを前記凹孔２５の相対する係合溝２６，２６に係合可能にしている。
【００３１】
前記ロックカム３６の他端に円板状の突軸３８が突設され、該段部３８とロックカム３６および角軸３７に亘って係止溝３９が形成され、後述するロックプレ−トの係止爪と係脱可能に配置されている。図中、４０は前記段部３８の中央に突設した凸部で、バネ受４１の操作孔４２に挿入されている。
【００３２】
前記仕切板３２の他側面に、第２のロック制御手段である前述のロックプレ−ト４３が摺動可能に配置され、該プレ−ト４３はステンレス鋼板によって縦長矩形に形成され、その長さ方向に二つの開口窓４４が離間して形成され、該窓４４内に前記突軸３８が回動可能に収容されている。
前記開口窓４４は矩形に形成され、その一側に係止爪４５が上向きに突設されていて、解錠時に係止爪４５を前記係止溝３９に係合し、ロックカム３６の回動を阻止し、施錠時には係止爪４５と係止溝３９との係合を解除し、ロックカム３６を回動可能にしている。
【００３３】
すなわち、操作ボタン１４に暗証情報を設定する際は、操作ハンドル６０を解錠回動してロックプレ−ト４３を押し上げ、係止爪４５を係止溝３９に係合し、ロックカム３６の回動を阻止した状態で、前記二つの操作ボタン１４を各暗証情報を基に所定回数押圧操作し、つまり所定角度回動する。
一方、施錠時は、操作ハンドル６０を施錠回動してロックプレ−ト４３を押し下げ、係止爪４５を係止溝３９から引き抜き、ロックカム３６を回動可能にする。
【００３４】
前記ロックプレ−ト４３の下端に屈曲片４６が形成され、該屈曲片４６と前記仕切板３２の下端との間にスプリング４７が介挿され、該スプリング４７の弾性を介して前記ロックプレ−ト４３を下方へ付勢し、つまり係止爪４５と前記係止溝３９との係合を解除可能に付勢している。
図中、４８は錠ケ−ス７に形成したカム穴４９の周壁で、屈曲片４６と係合可能に配置され、屈曲片４６の最下位置を規制可能にしている。
【００３５】
前記ロックプレ−ト４３の他側に、微小な間隙５０を介して前記錠カバ−８が取り付けられ、該錠カバ−８は略縦長矩形板状に形成されていて、その上半部の内面に二つの凹穴５１が上下に離間して形成されている。
前記凹穴５１は前記段付孔３５に対向して形成され、その内部に前述のバネ受４１が収容されている。
前記バネ受４１と凹穴５１の底部との間に、円錐コイルバネ等のバネ５２が介挿され、該バネ５２の弾性を介してバネ受４１とロックカム３６とを前方へ付勢し、該カム３６の角軸３７を係合溝２６へ係合可能に付勢している。
【００３６】
図中、５３は錠カバ−８の上下端部内面に形成したピン孔で、錠ケ−ス７の上下端部に突設したピン５４と嵌合可能に設けられ、５５は錠ケ−ス７の下部に形成した通孔で、該通孔５５に駆動カム５６の軸部５７が回動可能に挿入されている。
前記軸部５７の基部側に角軸５８が突設され、該角軸５８に亜鉛合金ダイカスト製の前記鎌４の角穴５９が嵌合していて、駆動カム５６と同動可能にされている。
【００３７】
前記駆動カム５６は、亜鉛合金ダイカストによって横長矩形板状に成形され、その回動変位によって回転軸心からのカム変位を二様に設定し、当該変位に屈曲片４６を介してロックプレ−ト４３を同動可能にしている。
すなわち、前記駆動カム５６の回動域に前記屈曲片４６が係合可能に配置され、施錠時は駆動カム５６の長辺部５６ａ、つまりカム変位小部が屈曲片４６と係合し、スプリング４７の弾性を介してロックプレ−ト４３を押し下げ、係止爪４５をロックカム３６の係止溝３９の回動域から離間させている。
【００３８】
一方、解錠時は駆動カム５６の短辺部５６ｂ、つまりカム変位大部が屈曲片４６と係合し、スプリング４７の弾性に抗してロックプレ−ト４３を押し上げ、係止爪４５をロックカム３６の係止溝３９に係入可能にし、ロックカム３６を回動不能にしている。
【００３９】
前記駆動カム５６の先端軸部に操作ハンドル６０の角穴６０ａが嵌め込まれ、これらにビス６１またはボルトをねじ込んで、これらを同動可能に連結している。
前記操作ハンドル６０は合成樹脂によって略円板状に成形され、その表面に把持部６２が直径方向に突設されている。
【００４０】
図中６３は、仕切板３２の上下位置に形成したビス孔で、ビス６４を挿入可能にされ、６５は錠カバ−８の上下端部に形成したビス孔で、ビス９を挿入可能にされている。
６６は前述の操作ピンで、その基部が合成樹脂製の板状の操作具６７に固定され、操作具６７からの操作ピン６６の突出長さは、操作ボタン１４の押圧操作時、その先端部が少なくともロックカム３６の角軸３７の先端面に到達かつ係合可能で、前記角軸３７を記憶ボタン１９の凹孔２５から押し出し可能に設定している。
また、前記操作具６７の幅は、少なくともボタンケ−ス１５の外径よりも幅広で、かつ隣接する他のボタンケ−ス１５に接触不可能な幅寸法に形成されている。
【００４１】
前記錠ケ−ス７の一側面に二つの表示窓６８が形成され、該表示窓６８は前記凹所底部３４に連通していて、該表示窓６８に前記凹所底部３４に収容したバネ受２７の表示板３１を表示可能にしている。
図中、６９は引き戸鎌錠３を引き戸２に固定するステンレス鋼板製の取付板で、その上下端部にビス孔７０が形成され、これを縦框２の外側面の所定位置に取り付け、引き戸鎌錠３を引き戸２に取り付け可能にしている。
【００４２】
すなわち、縦框２の外側からビス７１をビス孔７０挿入し、これを縦框２の貫通孔７７に挿入し、更に錠カバ−８の通孔７２に貫挿して、錠ケ−ス７のネジ孔７３にねじ込み、引き戸鎌錠３の取り付けを可能にしている。この場合、取付板６９を省略し、引き戸鎌錠３を直接縦框２に取り付けることも可能である。
【００４３】
この他、図中７４は錠ケ−ス７の下部側面に形成された切欠部で、前記鎌４を出没可能にしており、７５は錠ケ−ス７内の中間部に突設された左右一対の凸部で、それらの間に凹溝７６が形成され、該凹溝７６に前記スプリング４７が収容されている。
なお、実施形態は本発明を引き戸鎌錠３に適用しているが、これに限らず片側を吊り下げ、吊元側を中心に回動可能に開閉するドアに適用することも可能であり、その場合は鎌４の代わりに、ラッチボルトないしデッドボルトを用いる。
【００４４】
このように構成したボタン錠は、複数の操作ボタン１４のそれぞれに、複数の暗証情報を設定または入力可能にしているから、従来のボタン錠のように、操作ボタンに単一の暗証情報を設定または入力し、操作ボタンの組み替えによって複数通りの暗証情報を得るものに比べて、多数の暗証情報を得られ、かつその選択範囲も広がって防御能力の向上を図れ、その分操作ボタンの個数を低減できる。
【００４５】
また、本発明のボタン錠は、各操作ボタン１４の軸方向に暗証情報の設定または入力機構である記憶ボタン１９と、施解錠を制御するロックカム３６を配置し、それらの機能を各操作ボタン１４で独自に行なえるから、従来のように操作ボタンの操作回数ないし回動変位を他の機構に伝達し、演算させるギヤ機構を要しない。
【００４６】
ちなみに、記憶ボタン１９は自身で操作ボタン１４の操作回数ないし設定情報を記憶し、これらを他に伝達するギヤ機構を有しない。
したがって、その分部品点数の低減と構成の簡潔化を図れ、これを容易かつ安価に製作できるとともに、その幅狭化と小形軽量化と設置スペ−スのコンパクト化を図れ、引き戸ないし引き戸鎌錠３の体裁を改善できる。
【００４７】
しかも、本発明のボタン錠は、操作孔１６を錠ケ−ス７の代わりにボタンケ−ス１５に形成しているから、その分錠ケ−ス７の幅狭化を図れ、体裁が改善されるとともに、錠ケ−ス７の製作が容易になる。
【００４８】
更に、本発明は暗証情報の設定時、従来の手指操作に代わって操作具６７で操作ボタン１４を押圧操作するから、従来の手指操作によるもののように、操作ボタン１４の表面に指紋が付着したり、操作ボタン１４の表面の磨耗することがなく、またそれらによって設定または入力した暗証情報を察知される惧れがないから、それだけ防御能力を高められる
【００４９】
次に本発明のボタン錠を製作する場合は、例えば鎌４、錠ケ−ス７、錠カバ−８、記憶ボタン１９、仕切板３２、ロックカム３６、操作ハンドル６０、駆動カム５６等を亜鉛合金ダイカストで成形し、ボタンケ−ス１５、バネ受２７，４１、操作ハンドル６０、操作具６７等を合成樹脂成形し、ロックプレ−ト４３、取付板６９等はステンレス鋼板をプレス成形して製作する。
また、ステンレス鋼線を所定長さに裁断して操作ピン６６を作製し、該ピン６６の基部を合成樹脂製の操作具６７と一体にモ−ルド成形して、これらを一体的に作製する。
【００５０】
こうして製作した構成部品を組み付ける場合は、例えばボタンケ−ス１５を錠ケ−ス７の内側からボタン挿通孔１１に挿入し、その掛止片１７をガイドリング１２に係合し、該ボタンケ−ス１５に記憶ボタン１９を挿入する。
次に、錠ケ−ス７の凹所底部３４にバネ受２７を位置付け、その角穴２８を記憶ボタン１９の角軸筒部２４に嵌合し、かつ記憶ボタン１９のフランジ部とバネ受２７との間にバネ２９を介挿する。その際、バネ受２７の凹溝３０に所定色の表示板３１を予め接着して置く。
【００５１】
そして、仕切板３２を錠ケ−ス７の凹所３３に嵌合し、その一側面をバネ受２７の底面に押し当て、ビス６４をビス孔６３に挿入し、これを錠ケ−ス７のネジ孔１０にねじ込んで、仕切板３２を固定する。
仕切板３２を取り付け後、その段付孔３５にロックカム３６を挿入し、その角軸３７を記憶ボタン１９の凹孔２５の係合溝２６，２６に係入する。
そして、仕切板３２の他側面にロックプレ−ト４３を位置付け、その屈曲片４６と仕切板３２の下端面との間にスプリング４７を介挿し、ロックカム３６の凸部４０にバネ受４１の操作孔４２を挿入したところで、バネ受４１の他側面にバネ５２を収容する。
【００５２】
一方、錠ケ−ス７のカム穴４９に操作ハンドル６０の軸部を外側から挿入し、その角穴６０ａに駆動カム５６の角軸を挿入し、角軸５８に鎌４の角穴５９を嵌合したところで、ビス６１を挿入し、これをねじ込んで、操作ハンドル６０と駆動カム５６とを連結する。
そして、錠ケ−ス７のピン５４に錠カバ−８のピン孔５３を嵌合し、該カバ−８の通孔５５に駆動カム５６の軸部５７を差し込み、錠カバ−８を位置決めしたところで、ビス９をビス孔７２に挿入し、これを錠ケ−ス７のネジ孔７３にねじ込んで、錠カバ−８を錠ケ−ス７に取り付ける。
【００５３】
こうして組み付けた引き戸鎌錠３を引き戸に取り付ける場合は、縦框２の外側の所定高さ位置に取付板６９を位置付け、該取付板６９の外側からビス７１をビス孔７０挿入し、これを縦框２に形成した貫通孔７７に挿入し、更に錠カバ−８の通孔７２に貫挿して、錠ケ−ス７のネジ孔７３にねじ込み、縦框２の内側に引き戸鎌錠３を取り付ける。
【００５４】
この状況は図１および図４のようで、引き戸鎌錠３が細長柱状を呈し、これが縦框２から食み出すことなくコンパクトに取り付けられているから、引き戸ないし縦框２周辺の外観を損なうことはない。
また、引き戸鎌錠３の上部中央に二つの操作ボタン１４が縦一列に配置され、該ボタン１４の中心に小孔状の操作孔１６が形成され、その側面に二つの表示窓６８が開口され、該窓６８，６８に所定色の表示板３１，３１が表出し、意匠的な審美感を奏していする。
【００５５】
このようなボタン錠を使用する場合は、先ず操作ボタン１４に所望の暗証情報を入力して設定する。
これを説明の便宜上、ボタン錠に最初に暗証情報を入力し設定する状況で説明すると、暗証情報の初期設定前の引き戸鎌錠３は、図４のように操作ボタン１４が施錠可能な状態に置かれ、二つの表示窓６８に表示板３１が表出している。
【００５６】
このような状況の下では、二つの記憶ボタン１９がバネ２９の弾性によって前方へ付勢され、そのドグ２０がボタンケ−ス１５のドグ１８に係合して、該ケ−ス１５を前方へ付勢し、ボタンケ−ス１５の前端面が錠ケ−ス７の表面から突出し、後端部の掛止片１７がガイドリング１２のガイドリブ１３に係合している。
また、記憶ボタン１９の同軸上後方にロックカム３６が位置し、該カム３６がバネ５２の弾性によって前方へ付勢され、その一側が仕切板３２の段付孔３５に係合し、かつその角軸３７が凹孔２５の係合溝２６に係合し、係止溝３９が垂直下向きに位置している。
【００５７】
一方、ロックプレ−ト４３が、図４のようにスプリング４７の弾性によって押し下げられ、その屈曲片４６が駆動カム５６の長辺部５６ａに係合し、係止爪４５が前記係止溝３９から避退していて、ロックカム３６と記憶ボタン１９とが同動可能に置かれている。
また、前記ロックカム３６は、一側端にロックプレ−ト４３の開口窓４４の周縁部が係合可能に位置し、他側端が段付孔３５に係合しているから、その軸方向への移動が拘束されている。
【００５８】
このような状況の下で先ず操作ハンドル６０を回動し、これに駆動カム５６を同動させて短辺部５６ｂを屈曲片４６に係合し、ロックプレ−ト４３をスプリング４７の弾性に抗して押し上げ、その係止爪４５を係止溝３９に係入して、ロックカム３６の回動を阻止し、ボタン錠を解錠状態に設定する。
この状況は図２３のようで、ロックプレ−ト４３の開口窓４４が上動し、該窓４４の開口縁とロックカム３６とが係合状態を解除し、ロックカム３６の軸方向移動が可能になる
【００５９】
そこで、操作具６７を保持し、その操作ピン６６を一方の操作ボタン１４、実施形態では上側の操作ボタン１４の操作孔１６に挿入し、これを貫通孔２２へ進入して、ロックカム３６の角軸３７の端面に当接させる。
そして、操作ピン６６をバネ５２の弾性に抗して押し込むと、図２４のようにバネ受４１によってバネ５２が押し縮められ、その変位分ロックカム３６が同方向へ移動し、他側の角軸３７が係合溝２６から移動する。
この場合、ロックカム３６は係止爪４５によって回動を阻止され、係止溝３９に沿って軸方向へ移動するため、角軸３７の状況は図２４のようである。
【００６０】
この後、前記操作ボタン１４の暗証設定情報に相当する回数分、操作具６７を介して操作ボタン１４を押圧操作する。
例えば、上側の操作ボタン１４の暗証設定情報を「２」とすると、該操作ボタン１４を２回押圧操作する。その場合は、先ず１回押圧操作し、「１」の暗証情報を設定後、更に１回押圧操作し、「１」の暗証情報を設定して、前記暗証設定情報に相加することで、暗証情報「２」を設定する。なお、暗証設定情報が「０」の場合は、操作ボタン１４の零回操作、つまり暗証情報の初期設定前の状況になる。
【００６１】
そこで、前記上側の操作ボタン１４を操作具６７を介して先ず１回押圧する。
この場合は、前記操作ピン６６を更に押し込んでロックカム３６を押し動かし、角軸３７を凹孔２５から押し出し、角軸３７と係合溝２６との係合を解除する。
このようにすると操作ピン６６の押し込み分操作具６７が移動し、その先端部がボタンケ−ス１５の前面に係合する。
この状況の下で操作具６７を更に押し込むと、ボタンケ−ス１５がバネ２９の弾性に抗してボタン挿通孔１１の内側に押し込まれ、これにドグ１８と係合する記憶ボタン１９が同動し、その角軸筒部２４がバネ受２７の角穴２８に押し込まれ、その先端部が段付孔35に進入する。
【００６２】
一方、前記操作具６７の押し込み操作によって、操作ピン６６の先端が更に奥部へ移動し、該ピン６６と係合下のロックカム３６が同動して、ロックカム３６とバネ受４１が錠カバ−８の凹穴５１の底部へ移動する。
この状況は図２５のようで、角軸筒部２４が角穴２８に更に押し込まれて、角軸３７が凹孔２５から抜け出る。このため、角軸３７と係合溝２６との係合が解除され、記憶ボタン１９が回動可能になる。
【００６３】
次に前記操作具６７の押し込み後、これを手前に引いてボタンケ−ス１５との係合を解除すると、ボタンケ−ス１５と記憶ボタン１９とがバネ２９の弾性によって原位置へ押し戻され、またロックカム３６とバネ受４１とがバネ５２の弾性によって原位置へ押し戻される。
【００６４】
そして、記憶ボタン１９が原位置へ復帰する際、記憶ボタン１９のテ−パ状のカム２３がガイドリブ１３のテ−パ部に係合して、該記憶ボタン１９がヘリカル回動し、これに角軸筒部２４と嵌合するバネ受２７が同期回動する。    
前記記憶ボタン１９とバネ受２７との回動角度は、ガイドリブ１３の１ピッチ分、つまり４５°に相当し、その回動角度はドグ１８，２０の係合によって保持される。
したがって、バネ受２７の回動によって表示板３１が移動し、表示窓６８から表示板３１が消失する。
【００６５】
一方、ロックカム３６は原位置へ押し戻され、その角軸３７が記憶ボタン１９の係合溝２６と係合し、記憶ボタン１９ないしバネ受２７の回動を阻止する。
この場合、角軸３７は、係止爪４５および係止溝４０によって、組み付け当初と同相状態を維持し、一方、記憶ボタン１９は、前述のように当初の状態から４５°回動しているが、各係合溝２６の中心角度は４５°に設定されているため、前記回動後も各係合溝２６の位置は当初と同一の状態を形成し、角軸３７との係合を許容する。
この関係は、記憶ボタン１９が操作具６７によって複数回押圧操作されても、記憶ボタン１９の回動角度が４５°の整数倍に設定されるため、前記係合状態が維持される。
換言すれば、記憶ボタン１９はロックカム３６よりも暗証情報相当角度分、移送進み状態に設定される。
【００６６】
この後、前述と同じ要領で操作ピン６６を操作孔１４および貫通孔２２に挿入して、ロックカム３６を押し動かし、更に操作具６７をボタンケ−ス１５に係合して押圧し、ボタンケ−ス１５と記憶ボタン１９、ロックカム３６とバネ受２７とを押し動かし、かつこれらを押し戻して、記憶ボタン１９とバネ受２７を更に４５°回動させる。
したがって、操作ボタン１４を２回押圧操作すると、記憶ボタン１９とバネ受２７とは、当初の基準位置から９０°回動する。
【００６７】
こうして、上側の操作ボタン１４に対する暗証情報が設定され、この設定情報は、記憶ボタン１９とバネ受２７との回動角度が、それらのドグ１８，２０の係合によって保持され、かつ角軸３７が係合溝２６に係合し、記憶ボタン１９の回動を阻止することで保持される。
【００６８】
次に上側の操作ボタン１４に対する暗証情報設定後、下側の操作ボタン１４に対する暗証情報を設定する。その設定操作は、上側の操作ボタン１４と同様に行なう。
例えば、下側の操作ボタン１４の暗証設定情報を「３」とすると、操作具６７を介して操作ボタン１４を間欠的に３回押圧操作し、記憶ボタン１９とバネ受２７とを同期回動させて、「１」の暗証情報を３回加算することで設定する。
なお、暗証設定情報が「０」の場合は、前述のように操作ボタン１４の零回操作、つまり暗証情報の初期設定前の状況になる。
また、下側の操作ボタン１４に対する暗証情報設定時にも、記憶ボタン１９の回動にバネ受２７が同動して表示板３１が移動し、表示窓６８から表示板３１が消失する。
【００６９】
こうして下側の操作ボタン１４を間欠的に３回押圧操作し、記憶ボタン１９とバネ受２７を、当初の基準位置から１３５°回動する。
前記設定情報は、上側の操作ボタン１４の場合と同様に、記憶ボタン１９とバネ受２７との回動角度が、それらのドグ１８，２０の係合によって保持され、かつ角軸３７が係合溝２６に係合して、記憶ボタン１９の回動を阻止することで保持される。
【００７０】
なお、上下の操作ボタン１４，１４に対する暗証情報を設定後、その入力設定の当否を確認する場合は、操作ハンドル６０を反時計方向へ回動し、ロックプレ−ト４３を押し下げ、係止爪４５をロックカム３６の係止溝３９から引き抜く。
すなわち、引き戸鎌錠３を図４のように施錠モ−ドにし、ロックカム３６を回動可能にした後、操作ボタン１４を適宜回数押圧操作し、表示窓６８に表示板３１をそれぞれ表示させたところで、操作ハンドル６０を時計方向へ回動し、ロックプレ−ト４３を押し上げることができれば、暗証情報の入力設定が適格であることが確認される。
【００７１】
つまり、操作ボタン１４，１４の暗証情報設定後は、記憶ボタン１９とバネ受２７が暗証情報に応じてそれぞれ回動設定されるが、それらの回動位置を一旦設定前の基準位置に戻し、ロックカム３６の係止溝３９を垂直下向き状態に位置付け、該係止溝３９に係止爪４５が差し込まれれば、ロックプレ−ト４３と記憶ボタン１９とが正常に機能していることが確認され、暗証情報設定が適格であることが確認される。
【００７２】
このように操作ボタン１４，１４に対する暗証情報の設定操作は、操作ピン６６を備えた操作具６７の押圧操作によって行なえるから、従来のように操作ピンを操作孔に差し込んで押し続け、その状態を維持しながら操作ボタンを押圧する両手操作の煩雑から解消され、これを片手で簡便に行なえるとともに、操作ボタンに対する指紋の付着を免れる。
【００７３】
こうして操作ボタン１４の暗証情報を設定後、引き戸鎌錠３を使用して実際に引き戸のインナ−ドア１を閉鎖し施錠する場合は、図１のようにインナ−ドア１を閉鎖し、操作ハンドル６０の把持部６２を水平に位置付け、これに駆動カム５６と鎌４とを連動させて鎌４を突出させ、該鎌４を戸当たり枠５内のトロ受け６の開口縁部６ａに掛け止める。
【００７４】
この状況は図１および図４のようで、操作ハンドル６０の前記回動によって、ロックプレ−ト４３がスプリング４７の弾性によって押し下げられ、その屈曲片４６が駆動カム５６の長辺部５６ａに係合し、係止爪４５がロックカム３６の係止溝３９から避退し、ロックカム３６が回動可能な状況に置かれる。
【００７５】
また、ロックカム３６がバネ５２の弾性によって前方へ付勢され、その一側が仕切板３２の段付孔３５に係合し、他側部がロックプレ−ト４３の開口窓４４の開口縁と係合可能に近接し、ロックカム３６の軸方向移動を阻止している。
更に、ロックカム３６の角軸３７が記憶ボタン１９の係合溝２６に係合し、ロックカム３６と記憶ボタン１９とが同期回動可能にされる。
【００７６】
この後、上下二つの操作ボタン１４，１４を手指で適宜回数押圧操作し、つまり暗証設定情報を察知されないように、暗証情報に任意に偽装情報を追加して、操作ボタン１４，１４を通常使用状態に設定する。
すなわち、ボタンケ−ス１５と記憶ボタン１９とをバネ２９の弾性に抗して押し込み、かつこれらを前記バネ２９の弾性によって原位置へ押し戻す。
その際、記憶ボタン１９のカム２３をガイドリブ１３のテ−パ部に係合し、該記憶ボタン１９をヘリカル回動させて、これに角軸筒部２４と嵌合するバネ受２７を同期回動させる。  
【００７７】
そして、記憶ボタン１９と、角軸筒部２４内の係合溝２６に係合する角軸３７ないしロックカム３６とを同期回動させ、その係止溝３９を垂直下向きから任意の位置へ変更し、その突軸３８の周面と係止爪４５とを係合可能に位置付ける。
このように操作ボタン１４の通常使用状態では、操作ボタン１４を偽装情報分、押圧操作し、記憶ボタン１９とバネ受２７とロックカム３６とを偽装情報分、回動角度を増加して設定する。
【００７８】
このように引き戸鎌錠３の施錠時は、ロックカム３６の軸方向移動を阻止しているから、施錠時に操作具６７ないし類似の不正具を操作孔１６に差し込んでロックカム３６を移動し、暗証情報を変更する不正な操作や悪戯を防止し得る。
また、ロックプレ−ト４３の係止爪４５と、ロックカム３６の突軸３８の周面とが係合可能に位置付けられるから、ロックプレ−ト４３の上下動が拘束され、駆動カム５６ないし操作ハンドル６０の回動が不可能になって、前記鎌４の掛け止め状態を維持する。
【００７９】
このような状況の下で引き戸鎌錠３を解錠し、インナ−ドア１を開放する場合は、先ず二つの操作ボタン１４，１４を手指で所要回数押圧操作し、表示窓６８，６８に表示板３１，３１をそれぞれ表示させ、引き戸鎌錠３を一旦、暗証情報設定基準位置に設定する。
すなわち、操作ボタン１４を所要回数押圧操作し、記憶ボタン１９とバネ受２７とを同期回動させ、表示板３１を錠ケ−ス７の表示窓６８に位置付ける。この場合、角軸３７ないしロックカム３６も同期回動するが、空転するだけで他部材に影響を与えない。
【００８０】
前記暗証情報設定基準位置の設定に際しては、記憶ボタン１９ないしバネ受２７の前記基準位置が、それらの回動角度０°若しくは３６０°位置とすれば、その０°若しくは３６０°から、暗証情報と偽装情報との各回動角度の相加量の差分、前記基準位置設定のために記憶ボタン１９等が回動され、該設定角度と偽装情報分の角度は共通するから、ロックカム３６は結局、前記基準位置から暗証情報角度分位相遅れの状態に置かれる。
したがって、前記基準位置設定時には、ロックカム３６の係止溝３９は垂直下向き状態に置かれない。
【００８１】
そこで、上下二つの操作ボタン１４，１４を、それぞれの暗証設定情報を基に手指で所定回数押圧操作する。
すなわち、上側の操作ボタン１４を暗証設定情報「２」を基に２回、下側の操作ボタン１４を暗証設定情報「３」を基に３回、それぞれ間欠的に押圧操作する。
このようにすると、記憶ボタン１９とバネ受２７とが同動し、これに角軸筒部２４の係合溝２６と係合する角軸３７ないしロックカム３６が同期回動して、各係止溝３９が垂直下向きに位置付けられ、直下の係止爪４５と対向する。
【００８２】
そこで、操作ハンドル６０の把持部６２を保持し、これを図１上時計方向へ９０°回動する。
このようにすると、操作ハンドル６０に同動して駆動カム５６が回動し、その短辺５６ｂがロックプレ−ト４３の屈曲片４６に係合し、該ロックプレ−ト４３がスプリング４７の弾性に抗して押し上げられ、その係止爪４５がロックカム３６の係止溝３９に係合する
【００８３】
このため、ロックカム３６の回動が阻止され、各操作ボタン１４の回動を阻止し、解錠時における操作ボタン１４の不正操作や悪戯を防止する一方、駆動カム５６に同動して鎌４が錠ケ−ス７内に収納され、トロ受６の口縁部６ａとの掛止めを解除する。
したがって、この後、インナ−ドア１の把手（図示略）または前記操作ハンドル６０を把持し、これを引き動かせばインナ−ドア１を開放することができる。
【００８４】
一方、インナ−ドア１の開放後、引き戸鎌錠３を施錠する場合は、インナ−ドア１を閉鎖し、操作ハンドル６０を解錠状態から反時計方向へ９０°回動し、これに駆動カム５６を同動させて鎌４を引き戸鎌錠３から突出させ、トロ受６の口縁部６ａに掛止める。
【００８５】
前記操作ハンドル６０の施錠回動に伴なって、ロックプレ−ト４３がスプリング４７の弾性によって押し下げられ、その屈曲片４６が駆動カム５６の長辺部５６ａと係合する。
この後、上下二つの操作ボタン１４，１４を手指で適宜回数押圧操作し、暗証設定情報に偽装情報を追加して、通常使用状態に設定する。
すなわち、操作ボタン１４，１４を手指で適宜回数押圧し、ロックカム３６を適宜角度回動して、係止爪４５と突軸３８周面とを係合可能にし、ロックカム３６の軸方向移動を阻止して、操作ボタン１４，１４の暗証番号の改竄や不正操作を防止する。
【００８６】
なお、操作ボタン１４，１４の暗証情報は定期的に変更することが保安上望ましく、その場合は、操作ピン６６を操作孔１６および貫通孔２２に挿入し、記憶ボタン１４の係合溝２６とロックカム３６の角軸３７との係合を解除して行なう。
前記暗証情報の変更は、具体的には暗証情報、例えば暗証番号が増加する場合と、減少する場合とがあり、それぞれ変更操作が相違する。
例えば、下側の操作ボタン１４の暗証番号は「３」であるが、これを「４」に変更する場合は、操作ピン６６を挿入したまま暗証番号の増加分、つまり１回押圧操作すれば良い
【００８７】
一方、下側の操作ボタン１４の暗証番号を「２」に変更する場合は、操作ピン６６を挿入したまま操作ボタン１４を押し続け、表示窓６８に表示板３１を表示させ、一旦初期状態に戻した後、新たに操作ボタン１４を変更相当分、つまり２回押圧操作すれば良い。
【００８８】
このように本発明のボタン錠は、従来のこの種装置におけるキ−操作の煩雑と、キ−の紛失やその拾得者等による悪戯、不真正なキ−による施解錠等の問題を解消するとともに、構成を簡潔化し、部品点数を低減して容易かつ安価に製作できるとともに、小形軽量化を図り、引き戸や各種ドアへの取り付けを実現させたものである。
【００８９】
なお、前述の実施形態では二つの操作ボタンを縦一列に配置しているが、暗証情報量を増加する場合は、１または複数の操作ボタンを縦列に増設すれば良く、その増加分に応じて、ロックカム３６やロックプレ−ト４３の係止爪４５を増設すれば良い。
【産業上の利用可能性】
【００９０】
このように本発明のボタン錠は、ボタン操作によって真正な使用者に引き戸の開閉を許容するとともに、操作具によってボタン操作し、所定の情報を安全かつ確実に設定し、その操作性を改善するとともに、防御能力の強化と保安を確保し、また従来の複雑な歯車機構を廃し、部品点数を低減し構成を簡潔化して小形軽量化を図り、引き戸ないし錠前の体裁を改善でき、これを安価に製作できるから、例えば引き戸鎌錠に好適である。
【図面の簡単な説明】
【００９１】
【図１】本発明を引き戸鎌錠に適用した状況を示す正面図である。
【図２】本発明を適用した引き戸鎌錠の内部構造を示す正面図である。
【図３】本発明を適用した引き戸鎌錠の錠ケ―スの右側面図である。
【図４】図１のＡ−Ａ線に沿う拡大断面図である。
【図５】本発明を適用した引き戸鎌錠の要部を分解して示す斜視図である。
【００９２】
【図６】本発明を適用した引き戸鎌錠の錠ケ―スの底面図である。
【図７】図６のＢ−Ｂ線に沿う断面図である。
【図８】図６のＣ−Ｃ線に沿う断面図である。
【図９】本発明を適用した引き戸鎌錠に使用したボタンケ−スを拡大して示す正面図である。
【図１０】図９の平面図である。
【図１１】図１０のＤ−Ｄ線に沿う断面図である。
【図１２】図９の底面図である。
【図１３】本発明を適用した引き戸鎌錠に使用した記憶ボタンを拡大して示す正面図である。
【００９３】
【図１４】図１３の平面図である。
【図１５】図１４のＥ−Ｅ線に沿う断面図である。
【図１６】図１３の底面図である。
【図１７】本発明を適用した引き戸鎌錠に使用したバネ受けを拡大して示す正面図である。
【図１８】図１７の平面図である。
【図１９】図１７のＦ−Ｆ線に沿う断面図である。
【図２０】本発明を適用した引き戸鎌錠に使用したロックカムを拡大して示す斜視図である。
【００９４】
【図２１】図２０の左側面図である。
【図２２】図２０のＧ−Ｇ線に沿う断面図である。
【図２３】本発明を適用した引き戸鎌錠の使用状態を示す断面図で、閉扉後、操作ボタンに暗証番号を設定する前の状況を示している。
【図２４】本発明を適用した引き戸鎌錠の使用状態を示す断面図で、閉扉後、上側の操作ボタンに暗証番号を設定している状況を示し、操作ピンを操作孔に挿入してロックカムを押し動かしている。
【図２５】本発明を適用した引き戸鎌錠の使用状態を示す断面図で、閉扉後、上側の操作ボタンに暗証番号を設定している状況を示し、操作具を操作ボタンに係合して押圧操作している。
【符号の説明】
【００９５】
１４        操作ボタン
１６        操作孔
１９        記憶ボタン
２２        操作孔（貫通孔）
２６        係合溝
３６        第１のロック制御手段（ロックカム）
３９        係止溝
４３        第２のロック制御手段（ロックプレ−ト）
６０        操作ハンドル
６６        操作ピン
６７        操作具
【図１】
2006029019.tif 000003
【図２】
2006029019.tif 000004
【図３】
2006029019.tif 000005
【図４】
2006029019.tif 000006
【図５】
2006029019.tif 000007
【図６】
2006029019.tif 000008
【図７】
2006029019.tif 000009
【図８】
2006029019.tif 000010
【図９】
2006029019.tif 000011
【図１０】
2006029019.tif 000012
【図１１】
2006029019.tif 000013
【図１２】
2006029019.tif 000014
【図１３】
2006029019.tif 000015
【図１４】
2006029019.tif 000016
【図１５】
2006029019.tif 000017
【図１６】
2006029019.tif 000018
【図１７】
2006029019.tif 000019
【図１８】
2006029019.tif 000020
【図１９】
2006029019.tif 000021
【図２０】
2006029019.tif 000022
【図２１】
2006029019.tif 000023
【図２２】
2006029019.tif 000024
【図２３】
2006029019.tif 000025
【図２４】
2006029019.tif 000026
【図２５】
2006029019.tif 000027